(57)【要約】【課題】 制御基板が鍵の正確な暗証番号を検出できない場合、電磁弁の突出ロッドが撥ねリングの凹槽内にずっと差し込まれることによって、コアを回転不能にする。【解決手段】  鍵４は、その内部に、暗証番号を記憶したチップ４１と、その暗証番号を発信するセンサー４２とを有する。ロック内では、鍵ホール３２１の側にあるセンサー３４５が、導電片３４１１と電気的に接続されている。また、他端が導電片３４１１に固定されるスプリング３４１２によって、スチール・ボール３４４が、銅製リング３４２と電気的に接続されている。これにより、銅製リング３４２は、制御基板３５と電気的に接続されている。したがって、鍵４をロック内に挿入して回転させると、鍵４の暗証番号が導電リング３４から制御基板３５へと送信されるため、制御基板３５が電磁弁３６を制御し、その結果、撥ねリング３３が制御される。【選択図】図２
0003103193.tif 000002
【実用新案登録請求の範囲】
【請求項１】
ロック内に配置されると共に、錠止手段と接合しあい、その前後端部にはそれぞれ指で撥ねて旋回可能な旋回ボタンが配置され、且つ鍵が挿入して旋回作動可能な鍵ホールが形成され、且つその中間段部には撥ねリングが配置され、ロック内の配置しておいた錠止手段を連動して伸縮させることができ、また、ロック内には、制御基板と、当該制御基板と電気的に接続される電磁弁が配置され、コアが回転される際に、その電磁弁によって撥ねリングを制御し、その中、前記コアには、導電リングが配置され、それはそれぞれコアの鍵ホールのセンサーとある制御基板と電気的に接続され、主に、鍵の暗証番号を制御基板に送信する用途に利用され、また、制御基板が暗証番号の正確さにしたがって電磁弁を制御し、また、前記コアには、多角リングが配置され、そのある側には対応するように検出片が配置され、その検出片が制御基板と電気的に接続され、多角リングが回転して前記センサーにタッチする場合、前記センサーが同期に前記制御基板を起動して前記導電リングの送信し戻した信号を判別し、また、前記撥ねリングには凹槽が形成され、電磁弁の突出ロッドが不起動の際にそこに差し込まれるようになることを特徴とする、
ロックにおけるコア構造。
【請求項２】
前記導電リングには、前記コアと同期に回転可能な絶縁ベースを有し、また、絶縁ベースの外層には順次に銅製リングと絶縁リングが配置され、その中、前記絶縁ベースの両側にはそれぞれ前記コアの鍵ホールの側のセンサーと電気的に接続される導電片が配置され、それぞれの導電片にはそれぞれ自由端にスチール・ボールを有すると共に、他端が導電片に固定されるスプリングが設けられ、そのスプリングにおけるスチール・ボールが銅製リングと電気的に接続され、また、銅製リングが前記制御基板と電気的に接続されることを特徴とする、
請求項１に記載のロックにおけるコア構造。
【考案の詳細な説明】
【技術分野】
【０００１】
本考案は、ロックにおけるコア構造に係わり、特に制御基板が鍵における正確的な暗証番号を検出できない場合に、その電磁弁の突出ロッドがずっと撥ねリングの凹槽内に差し込まれるようになり、コアを回転不能にし、そのことによって盗難防止効果を向上する、ロックにおけるコア構造に関するものである。
【背景技術】
【０００２】
科学技術が日進月歩している現在では、従来の機械式ロックの構造には、電子装置が導入されることが多く、現今の一般的なオフィス・ビルディングのように、大体そのゲートに電子ロック装置を配置し、通行暗証番号を検出する方式によってロックをオープンし、そのような方法によってわれわれの生命と財産の安全を円満的で全面的に保護する。しかしながら、目前では、一般の使用者は、やはり一般の機械ロックを使用し、また、そのような従来のロックは、主にコアによってロック内の機械式機構を連動して錠止手段を駆動することによって、ロックをオープンする目的を図るものが多い。
【０００３】
図１に示すように、従来のコア１がロック内に配置されると共に、錠止手段（図示しない）と接合し、その前後端部１１，１２には、それぞれ指によって転回操作可能な旋回ボタンと、鍵２が挿入して回動可能な鍵ホール１２１を有し、また、その中間段部に撥ねリング１３が配置され、その撥ねリング１３には撥ねロッド１３１が突出形成され、それによってロック内部における予め配置しておいた錠止手段を伸縮させるように連動できる。
【０００４】
このような従来の構造による場合、従来のコア構造は単に基本的な盗難防止機能を発揮でき、すりがロックを開けるテクニックを持つ場合、従来のコア構造はぜんぜん盗難防止機能を発揮できなくなり、そのため、目前の普遍に使用されているロックにおけるコアの構造をさらに改良を実施できれば、その盗難防止機能を増強できれば、使用者の門戸の安全性をさらに向上することができることは言うまでもないことである。
【０００５】
そのため、本考案の考案者は、前記の従来のロックにおけるコア構造は、やはり多い課題を有することを存じて、研究開発を進めると共に、学術の運用を合せて極めた結果、とうとう設計が合理的で従来のロックにおけるコアの構造のそれぞれの課題を効果的に解消可能な本考案の“ロックにおけるコア構造”を提出するに至った。
【考案の開示】
【考案が解決しようとする課題】
【０００６】
そのため、本考案は、制御基板が鍵における正確的な内証番号を検出できない場合、その電磁弁の突出ロッドがずっと撥ねリングの凹槽内に差し込まれ、コアを回転不能にし、盗難防止効果を強化する機能を有する、ロックにおけるコア構造を提供することをその主要な目的とする。
【課題を解決するための手段】
【０００７】
前記の目的を図るために、本考案によるロックにおけるコア構造は、ロック内に配置されると共に、錠止手段と接合し、その前後端部にそれぞれ旋回ボタンと鍵ホールを有し、且つその中間段部には凹槽を有する撥ねリングが配置され、他に、ロック内に制御基板と、当該制御基板と電気的に接続される電磁弁を配置し、コアが回転する際に、その電磁弁によって撥ねリングを制御し、その中、前記コアには、それぞれ鍵ホールのセンサと制御基板と接続される導電リングが配置され、また、そのある側に前記制御基板と電気的に接続される検出片の多角リングが配置され、前記のそれぞれの構成によって、制御基板が鍵における正確的な内証番号を検出出来ない場合、その電磁弁の突出ロッドがずっと撥ねリングの凹槽内に差し込まれ、コアを回転不能にし、盗難防止効果を強化する目的を図る。
【考案の効果】
【０００８】
本考案によるロックにおけるコア構造は、制御基板が鍵における正確的な内証番号を検出出来ない場合、その電磁弁の突出ロッドがずっと撥ねリングの凹槽内に差し込まれるため、コアを回転不能にし、盗難防止効果を強化するという効果を奏する。
【考案を実施するための最良の形態】
【０００９】
本考案の目的と特徴とその効果のことをさらに詳しく説明するために、以下に、具体的な実施の形態を挙げて、図面を合せながら、本考案の好適な実施の形態を詳細的で具体的に説明する。
【００１０】
図２ないし図４は、それぞれ本考案の構造を示す斜視図と組立側面断面図と使用状態側面図であり、それぞれの図面に示すように、コア３がロック内に配置されると共に、錠止手段（図示省略）と接合しあい、その前後端部３１，３２にはそれぞれ指で撥ねて旋回可能な旋回ボタンが配置され、且つ鍵４が差し込んで旋回作動可能な鍵ホール３２１が設計形成されており、且つその中間の段部には、撥ねリング３３が配置され、それによってロック内に予め配置される錠止手段を連動して伸縮させることができる。他に、前記ロック内に、制御基板３５と、その制御基板３５と電気的に接続される電磁弁３６が配置され、それらを配置することによって、コア３が回動される場合に、前記電磁弁３６によって撥ねリング３３を制御し、且つ前記鍵ホール４内に暗証番号を記憶しておくチップ４１と、そのチップ４１の暗証番号を発信するセンサー４２とを有し、その中、前記コア３には、導電リング３４が配置され、当該導電リング３４には、コア３と同期に回転可能な絶縁ベース３４１を有し、また、その絶縁ベース３４１の外層には、順次に、銅製リング３４２と絶縁リング３４３が配置され、その中、前記絶縁ベース３４１の両側にそれぞれ前記コア３の鍵ホール３２１の側のセンサー３４５と電気的に接続される導電片３４１１が配置され、その導電片３４１１にはそれぞれ自由端にスチール・ボール３４４を有すると共に、他端が前記導電片３４１１に固定されるスプリング３４１２が配置され、且つスプリング３４１２におけるスチール・ボール３４４がまた銅製リング３４２と電気的に接続され、また、その銅製リング３４２がさらに制御基板３５と電気的に接続され、前記導電リング３４より鍵４の暗証番号を制御基板３５に送信し、制御基板３５が暗証番号の正確さにしたがって前記電磁弁３６を制御する。
【００１１】
すなわち、鍵４は、その内部に、暗証番号を記憶したチップ４１と、その暗証番号を発信するセンサー４２とを有する。ロック内では、鍵ホール３２１の側にあるセンサー３４５が、導電片３４１１と電気的に接続されている。また、他端が導電片３４１１に固定されるスプリング３４１２によって、スチール・ボール３４４が、銅製リング３４２と電気的に接続されている。これにより、銅製リング３４２は、制御基板３５と電気的に接続されている。したがって、鍵４をロック内に挿入して回転させると、鍵４の暗証番号が導電リング３４から制御基板３５へと送信されるため、制御基板３５が電磁弁３６を制御し、その結果、撥ねリング３３が制御される。
【００１２】
また、前記コア３には、多角リング３２２を有し、その一側に対応するように検出片３２３が配置され、当該検出片３２３が制御基板３５と電気的に接続され、その多角リング３２２が回動して検出片３２３にタッチする場合、その検出片３２３が同期に制御基板３５を起動してその導電リング３４の伝送し戻した信号を判別する。また、撥ねリング３３に突出形成される撥ねロッド３３１には凹槽３３２が形成され、電磁弁３６の突出ロッドが不起動の際に差し込まれる。
【産業上の利用可能性】
【００１３】
本考案の前記のそれぞれの構造による場合、鍵４がコア３の鍵ホール３２１に差し込まれる場合、鍵４のセンサー４２が鍵ホール３２１の側のセンサー３４５と対応しあうようになり、且つ鍵４が差し込まれて、且つコア３を微旋回する際に、前記多角リング３２２が検出片３２３を作動し、且つ制御基板３５を起動し、鍵４の発信する暗証番号は正確であるかのことを判別し、その制御基板３５の検出した暗証番号が間違う場合、または暗証番号を検出できない場合、電磁弁３６の突出ロッドを起動しなくなり、その突出ロッドを持続的に前記撥ねリング３３の凹槽３３２内に差し込ませ、撥ねリング３３を電磁弁３６に係止去れるように設定し、それによってコア３が回動不能に設定される。また、制御基板３５の検出する暗証番号が正しい場合、電磁弁３６の突出ロッドを起動し、その突出ロッドを撥ねリング３３の凹槽３３２内に縮み込ませ、撥ねリング３３を電磁弁３６に係止させないようにし、コア３を順調に回転させ、盗難防止の効果を獲得する。
【図面の簡単な説明】
【００１４】
【図１】従来のコア構造を示す斜視図である。
【図２】本考案の構造を示す斜視図である。
【図３】本考案の構造を示す組立側面断面図である。
【図４】本考案の使用状態を示す側面図である。
【符号の説明】
【００１５】
１        コア
２        鍵
３        コア
４        鍵
１１      前端部
１２      後端部
１３      撥ねリング
３１      前端部
３２      後端部
３３      撥ねリング
３４      導電リング
３５      制御基板
３６      電磁弁
４１      チップ
４２      センサー
１２１    鍵ホール
１３１    撥ねロッド
３２１    鍵ホール
３２２    多角リング
３２３    検出片
３３１    撥ねロッド
３３２    凹槽
３４１    絶縁ベース
３４２    銅製リング
３４３    絶縁リング
３４４    スチール・ボール
３４５    センサー
３４１１  導電片
３４１２  スプリング
【図１】
0003103193.tif 000003
【図２】
0003103193.tif 000004
【図３】
0003103193.tif 000005
【図４】
0003103193.tif 000006